(57)【要約】【課題】意匠性の低下を防止することができるとともに、いたずらに対する保護の強化を図ることができるエレベータ用機器箱を得る。【解決手段】蓋板１２の裏面に設けられた取付具１３は、ねじ棒２１と、ねじ棒２１に設けられたナット２２と、ナット２２と蓋板１２との間に設けられたばね２３とを有している。下部固定金具１０の係止片３２には、ナット２２と蓋板１２との間に位置するねじ棒２１が嵌る部分開放長穴３６が設けられている。取付具１３は、ナット２２と係止片３２との間にばね２３を縮めながらねじ棒２１を部分開放長穴３６に嵌めた状態で下部固定金具１０に取り付けられ、カバー１１がボックス８の開口部２０に沿って変位されてねじ棒２１が部分開放長穴３６から外れることにより下部固定金具１０から外れる。【選択図】図２
2013173613.tif 000002
【特許請求の範囲】
【請求項１】
開口部が設けられたボックス、
上記ボックスの内面に設けられた支持部材、及び
蓋板と、上記蓋板の裏面に設けられた取付具とを有し、上記取付具が上記支持部材に取り付けられた状態で上記蓋板によって上記ボックスの開口部を塞ぐカバー
を備え、
上記取付具は、上記蓋板の裏面から突出する突出部と、上記突出部に設けられた受け部と、上記受け部と上記蓋板との間に設けられた弾性体とを有し、
上記支持部材は、上記蓋板が上記ボックスの開口部を塞いでいる状態で上記蓋板の裏面に対向する係止片を有し、
上記係止片には、上記受け部と上記蓋板との間に位置する上記突出部が嵌る凹部が設けられており、
上記取付具は、上記受け部と上記係止片との間に上記弾性体を縮めながら上記突出部を上記凹部に嵌めた状態で上記支持部材に取り付けられ、上記カバーが上記ボックスの開口部に沿って変位されて上記突出部が上記凹部から外れることにより上記支持部材から外れることを特徴とするエレベータ用機器箱。
【請求項２】
上記係止片は、上記ボックスの開口部の開放側へ上記凹部を向けて傾斜する傾斜部を有していることを特徴とする請求項１に記載のエレベータ用機器箱。
【請求項３】
上記蓋板に対する上記突出部の位置は、上記蓋板の裏面に沿った方向へ調整可能になっていることを特徴とする請求項１又は請求項２に記載のエレベータ用機器箱。
【請求項４】
上記蓋板の裏面には、上記突出部よりも長さが短いストッパが設けられており、
上記ストッパは、上記蓋板が上記ボックスの開口部を塞いでいる状態で上記支持部材に係合することにより、上記突出部が上記凹部から外れる方向への上記カバーの変位を阻止し、上記ボックスの開口部から離れる方向へ上記蓋板が変位されて上記支持部材との係合が外れることにより、上記突出部が上記凹部から外れる方向への上記カバーの変位を許容することを特徴とする請求項１〜請求項３のいずれか一項に記載のエレベータ用機器箱。
【発明の詳細な説明】
【技術分野】
【０００１】
この発明は、例えば乗場やかご内の壁等に設けられ、例えば位置表示器や呼びボタン等の機器が設置されるエレベータ用機器箱に関するものである。
【背景技術】
【０００２】
従来、乗場やかご内の壁に埋設されたケースに対して、例えば位置表示器や呼びボタン等の機器が取り付けられたカバーが着脱可能になっているエレベータ用機器箱が知られている。従来のエレベータ用機器箱では、ばねの力でカバーをケースに押し付けてケースの開口部をカバーで塞ぐことにより、ばねやねじ等がケース外に露出しないようにして意匠性の低下を防止した構造が提案されている（例えば特許文献１及び２参照）。
【先行技術文献】
【特許文献】
【０００３】
【特許文献１】特開平７−２５６４７６号公報
【特許文献２】特開平２−２７６７８２号公報
【発明の概要】
【発明が解決しようとする課題】
【０００４】
しかし、従来のエレベータ用機器箱では、カバーを手前に引くと、カバーがケースから離れたまま元の位置に戻らなくなってしまうので、例えば乗客等のいたずらによってケース内の機器が破損してしまうおそれがある。従って、従来のエレベータ用機器箱では、機器をいたずらから十分に保護することができなくなってしまう。
【０００５】
この発明は、上記のような課題を解決するためになされたものであり、意匠性の低下を防止することができるとともに、いたずらに対する保護の強化を図ることができるエレベータ用機器箱を得ることを目的とする。
【課題を解決するための手段】
【０００６】
この発明に係るエレベータ用機器箱は、開口部が設けられたボックス、ボックスの内面に設けられた支持部材、及び蓋板と、蓋板の裏面に設けられた取付具とを有し、取付具が支持部材に取り付けられた状態で蓋板によってボックスの開口部を塞ぐカバーを備え、取付具は、蓋板の裏面から突出する突出部と、突出部に設けられた受け部と、受け部と蓋板との間に設けられた弾性体とを有し、支持部材は、蓋板がボックスの開口部を塞いでいる状態で蓋板の裏面に対向する係止片を有し、係止片には、受け部と蓋板との間に位置する突出部が嵌る凹部が設けられており、取付具は、受け部と係止片との間に弾性体を縮めながら突出部を凹部に嵌めた状態で支持部材に取り付けられ、カバーがボックスの開口部に沿って変位されて突出部が凹部から外れることにより支持部材から外れるようになっている。
【発明の効果】
【０００７】
この発明に係るエレベータ用機器箱によれば、ボックスからカバーを手前に変位させただけではカバーがボックスから外れないようにすることができるとともに、カバーに加えている力を除去すると、カバーを元の位置に戻すことができる。これにより、いたずらに対する保護の強化を図ることができる。また、エレベータ用機器箱の意匠性の低下を防止することもできる。
【図面の簡単な説明】
【０００８】
【図１】この発明の実施の形態１によるエレベータの乗場出入口を示す正面図である。
【図２】図１の乗場ボタン装置を示す構成図である。
【図３】図２（ａ）のIII-III線に沿った断面図である。
【図４】図２（ａ）のIV-IV線に沿った断面図である。
【図５】図２のカバーを手前に変位させたときの乗場ボタン装置を示す構成図である。
【図６】図５のカバーを上方へ変位させたときの乗場ボタン装置を示す構成図である。
【図７】この発明の実施の形態２による乗場ボタン装置を示す構成図である。
【図８】図７のカバーを手前に変位させたときの乗場ボタン装置を示す構成図である。
【図９】図８のカバーを上方へ変位させたときの乗場ボタン装置を示す構成図である。
【図１０】図９のカバーの上部を手前に変位させてカバーを傾斜させたときの乗場ボタン装置を示す構成図である。
【図１１】この発明の実施の形態３による乗場ボタン装置の下部を示す正面図である。
【図１２】図１１のXII-XII線に沿った断面図である。
【図１３】この発明の実施の形態４による乗場ボタン装置の上部を示す構成図である。
【図１４】図１３のカバーを手前に変位させたときの乗場ボタン装置の上部を示す構成図である。
【発明を実施するための形態】
【０００９】
実施の形態１．
図１は、この発明の実施の形態１によるエレベータの乗場出入口を示す正面図である。乗場壁１には、一対の乗場の戸２により開閉される乗場出入口３が設けられている。また、乗場壁１には、エレベータの呼び登録を乗場から行うための乗場ボタン装置４が取り付けられている。乗場ボタン装置４は、乗場出入口３の側方に配置されている。
【００１０】
乗場ボタン装置４は、乗場壁１に設けられた機器箱（エレベータ用機器箱）５と、機器箱５に取り付けられた機器である上方向ボタン６及び下方向ボタン７（一対の操作ボタン６，７）とを有している。
【００１１】
図２は図１の乗場ボタン装置４を示す構成図であり、図２（ａ）は乗場ボタン装置４を示す正面図、図２（ｂ）は図２（ａ）のIIb-IIb線に沿った断面図である。また、図３は図２（ａ）のIII-III線に沿った断面図、図４は図２（ａ）のIV-IV線に沿った断面図である。図において、機器箱５は、開口部２０が設けられたボックス８と、ボックス８の内面に設けられた一対の支持部材である上部固定金具９及び下部固定金具１０と、上部固定金具９及び下部固定金具１０に取り付けられた状態でボックス８の開口部２０を塞ぐカバー１１とを有している。
【００１２】
乗場壁１には、乗場側に開放された空間部が設けられている。ボックス８は、開口部２０を乗場に向けて開放した状態で乗場壁１の空間部内に設置されている。
【００１３】
上部固定金具９及び下部固定金具１０は、図２（ｂ）に示すように、ボックス８の内面のうち、ボックス８の長手方向（即ち、上下方向）について対向する一対の対向面である上部対向面８ａ及び下部対向面８ｂに個別に取り付けられている。上部固定金具９は上部対向面８ａに、下部固定金具１０は下部対向面８ｂにそれぞれ取り付けられている。
【００１４】
カバー１１は、ボックス８の開口部２０を塞ぐ長方形状の蓋板１２と、蓋板１２の裏面に設けられ、上部固定金具９及び下部固定金具１０に個別に取り付けられる一対の取付具１３とを有している。蓋板１２は、乗場壁１の壁面に接触して乗場壁１の空間部を塞ぐとともにボックス８の開口部２０を塞いでいる。一対の取付具１３は、蓋板１２の長手方向について互いに離して配置されている。ボックス８の開口部２０は、一方の取付具１３が上部固定金具９に取り付けられ、かつ他方の取付具１３が下部固定金具１０に取り付けられた状態で、蓋板１２によって塞がれる。
【００１５】
上方向ボタン６及び下方向ボタン７は、蓋板１２に取り付けられている。上方向ボタン６及び下方向ボタン７は、蓋板１２の長手方向について互いに離して配置されている。上方向ボタン６及び下方向ボタン７の少なくともいずれかが乗場から操作されると、操作されたボタンに応じた信号が乗場ボタン装置４からエレベータの制御盤（図示せず）へ送られる。制御盤は、乗場ボタン装置４からの信号を受けると、乗場ボタン装置４からの信号に応じたエレベータの呼び登録を行う。
【００１６】
各取付具１３は、蓋板１２の裏面から垂直に突出する突出部であるねじ棒２１と、ねじ棒２１に螺合された状態で設けられ、蓋板１２の裏面から離れた位置に保持される受け部であるナット２２と、ねじ棒２１が内側を通され、ナット２２と蓋板１２との間に設けられた弾性体である筒状のばね２３とを有している。
【００１７】
ばね２３は、ナット２２と蓋板１２との間で縮められることにより弾性復元力を発生している。蓋板１２の裏面からナット２２までの距離は、ねじ棒２１に対するナット２２の螺合量の調整により調整される。ばね２３の弾性復元力の大きさは、蓋板１２の裏面からナット２２までの距離の調整により調整される。この例では、ばね２３がコイルばねとされている。
【００１８】
上部固定金具９及び下部固定金具１０のそれぞれは、ボックス８の内面に沿って配置される板状の固定片３１と、固定片３１からボックス８の内側へ垂直に突出する板状の係止片３２とを有している。上部固定金具９の固定片３１は上部対向面８ａに沿って配置され、下部固定金具１０の固定片３１は下部対向面８ｂに沿って配置される。
【００１９】
上部固定金具９及び下部固定金具１０のそれぞれの固定片３１には、図３及び図４に示すように、ボックス８の奥行き方向に沿って延びる長穴３３が設けられている。ボックス８の上部対向面８ａ及び下部対向面８ｂのそれぞれには、スタッドボルト３４が固定されている。
【００２０】
上部固定金具９に設けられた長穴３３には、ボックス８の上部対向面８ａに固定されたスタッドボルト３４が通される。上部固定金具９は、上部固定金具９の長穴３３に通されたスタッドボルト３４に固定用ナット３５が螺合されて締め付けられることにより、ボックス８の上部対向面８ａに固定されている。ボックス８に対する上部固定金具９の位置は、上部固定金具９を固定している固定用ナット３５を緩めることにより、ボックス８の奥行き方向について、長穴３３の長さ寸法の範囲内で調整可能になっている。
【００２１】
下部固定金具１０に設けられた長穴３３には、ボックス８の下部対向面８ｂに固定されたスタッドボルト３４が通される。下部固定金具１０は、下部固定金具１０の長穴３３に通されたスタッドボルト３４に固定用ナット３５が螺合されて締め付けられることにより、ボックス８の下部対向面８ｂに固定されている。ボックス８に対する下部固定金具１０の位置は、下部固定金具１０を固定している固定用ナット３５を緩めることにより、ボックス８の奥行き方向について、長穴３３の長さ寸法の範囲内で調整可能になっている。
【００２２】
上部固定金具９及び下部固定金具１０のそれぞれの係止片３２は、蓋板１２がボックス８の開口部２０を塞いでいる状態で蓋板１２の裏面に対向する。
【００２３】
下部固定金具１０の係止片３２には、図２（ａ）に示すように、ボックス８の長手方向（即ち、上下方向）に沿って延びるとともに上部が開放された凹部（切欠部）である部分開放長穴３６が設けられている。部分開放長穴３６は、ボックス８の開口部２０の内側に向かって開放されている。部分開放長穴３６の幅寸法は、ねじ棒２１の外径よりも大きく、かつナット２２及びばね２３のそれぞれの外径よりも小さくなっている。従って、部分開放長穴３６は、ねじ棒２１の通過を許容するとともにナット２２及びばね２３の通過を阻止する。下部固定金具１０に取り付けられる下側の取付具１３では、ナット２２と蓋板１２との間に位置するねじ棒２１が部分開放長穴３６に嵌る。
【００２４】
下側の取付具１３は、ナット２２と係止片３２との間にばね２３を縮めながらねじ棒２１を部分開放長穴３６に嵌めた状態で、下部固定金具１０に取り付けられる。下側の取付具１３が下部固定金具１０に取り付けられた状態では、ばね２３の弾性復元力により、蓋板１２の下部をボックス８に押圧する方向へ下側の取付具１３のねじ棒２１が付勢されている。
【００２５】
上部固定金具９の係止片３２には、だるま穴３７が設けられている。だるま穴３７は、大径部３８と、大径部３８の下部に繋がり、上部が大径部３８内に開放された凹部である部分開放長穴３９とにより構成されている。
【００２６】
部分開放長穴３９の幅寸法は、ねじ棒２１の外径よりも大きく、かつナット２２及びばね２３のそれぞれの外径よりも小さくなっている。従って、部分開放長穴３９は、ねじ棒２１の通過を許容するとともにナット２２及びばね２３の通過を阻止する。大径部３８の内径寸法は、部分開放長穴３９の幅寸法よりも大きくなっている。これにより、大径部３８は、ねじ棒２１の通過だけでなく、ナット２２及びばね２３のいずれの通過も許容する。上部固定金具９に取り付けられる上側の取付具１３では、ナット２２と蓋板１２との間に位置するねじ棒２１が部分開放長穴３９に嵌る。
【００２７】
上側の取付具１３は、ナット２２と係止片３２との間にばね２３を縮めながらねじ棒２１をだるま穴３７の部分開放長穴３９に嵌めた状態で、上部固定金具９に取り付けられる。上側の取付具１３が上部固定金具９に取り付けられた状態では、ばね２３の弾性復元力により、蓋板１２の上部をボックス８に押圧する方向へ上側の取付具１３のねじ棒２１が付勢されている。
【００２８】
次に、ボックス８からカバー１１を取り外すときの手順について説明する。カバー１１がボックス８に装着されている状態では、上下のばね２３の弾性復元力により蓋板１２が乗場壁１の壁面に押し付けられているとともに、ボックス８の開口部２０が蓋板１２によって塞がれている。
【００２９】
ボックス８からカバー１１を取り外すときには、まず各ばね２３の弾性復元力に逆らって、ボックス８から離れるようにカバー１１を手前に引きながらカバー１１を変位させる。これにより、蓋板１２が乗場壁１の壁面から離れる（カバー引き寄せ工程）。
【００３０】
図５は図２のカバー１１を手前に変位させたときの乗場ボタン装置４を示す構成図であり、図５（ａ）は乗場ボタン装置４を示す正面図、図５（ｂ）は図５（ａ）のVb-Vb線に沿った断面図である。図５に示すように、カバー１１をボックス８から手前に変位させただけの状態では、ナット２２がばね２３を介して係止片３２に係止されており、上下の取付具１３が上部固定金具９及び下部固定金具１０から外れることはない。また、このとき、上下の各ばね２３の弾性復元力が、ボックス８に押圧する方向へカバー１１を付勢しているので、カバー１１に加えている力を除去すると、カバー１１は、各ばね２３の弾性復元力により、ボックス８の開口部２０を塞ぐ元の位置に戻る。
【００３１】
従って、カバー１１をボックス８から取り外すときには、カバー１１を手前に変位させた後、カバー１１を乗場壁１の壁面から離した状態を保ったまま、カバー１１を持ち上げてカバー１１をボックス８の開口部２０に沿って所定の距離だけ上方へ変位させる（カバースライド工程）。
【００３２】
図６は図５のカバー１１を上方へ変位させたときの乗場ボタン装置４を示す構成図であり、図６（ａ）は乗場ボタン装置４を示す正面図、図６（ｂ）は図６（ａ）のVIb-VIb線に沿った断面図である。図６に示すように、カバー１１を乗場壁１の壁面から離したままカバー１１をボックス８の開口部に沿って上方へ変位させると、下側の取付具１３のねじ棒２１が下部固定金具１０の部分開放長穴３６から外れ、上側の取付具１３のねじ棒２１が上部固定金具９の部分開放長穴３９から大径部３８内へ外れる。このとき、上下の取付具１３の各ばね２３も、上部固定金具９及び下部固定金具１０から外れる。これにより、上側の取付具１３が上部固定金具９から外れるとともに下側の取付具１３が下部固定金具１０から外れる。
【００３３】
この後、カバー１１をさらに手前に変位させることにより、上側の取付具１３がだるま穴３７の大径部３８から外れ、カバー１１がボックス８から取り外される。
【００３４】
カバー１１をボックス８に装着するときには、上記の手順と逆の手順で作業を行う。ただし、ねじ棒２１を部分開放長穴３６，３９に嵌めるときには、例えば手の指でばね２３を押さえたり、棒状又は板状の押さえ具を用いてばね２３を押さえたりすることによってばね２３を縮めながら、ナット２２と係止片３２との間にばね２３を挿入する。
【００３５】
このようなエレベータ用機器箱５では、蓋板１２の裏面から突出するねじ棒２１が部分開放長穴３６，３９に嵌められ、ナット２２と係止片３２との間にばね２３が縮められた状態で、カバー１１がボックス８に装着されるので、ボックス８からカバー１１を手前に変位させただけでは、カバー１１がボックス８から外れないようにすることができるだけでなく、カバー１１を持つ手を離した場合、ばね２３の弾性復元力によりカバー１１を元の位置に戻すことができる。これにより、いたずらによってボックス８からカバー１１を容易に取り外せないようにすることができ、いたずらに対する保護の強化を図ることができる。また、蓋板１２の裏面に上下の取付具１３が設けられているので、上下の取付具１３が乗場側へ露出することを防止することができる。従って、機器箱５の意匠性の低下を防止することができる。
【００３６】
実施の形態２．
実施の形態１では、下部固定金具１０の係止片３２の形状が平板状となっているが、下部固定金具１０の係止片３２の上部が傾斜していてもよい。
【００３７】
即ち、図７はこの発明の実施の形態２による乗場ボタン装置４を示す構成図であり、図７（ａ）は乗場ボタン装置４を示す正面図、図７（ｂ）は図７（ａ）のVIIb-VIIbに沿った断面図である。図において、下部固定金具１０の係止片３２は、固定片３１からボックス８の内側に向けて突出する板状の垂直部３２ａと、垂直部３２ａの上端部に設けられ、下部対向面８ｂに対して傾斜する板状の傾斜部３２ｂとを有している。
【００３８】
部分開放長穴３６の下端部（一端部）は垂直部３２ａの中間部に達し、部分開放長穴３６の上端部（他端部）は傾斜部３２ｂの上部で開放されている。傾斜部３２ｂは、ボックス８の開口部２０の開放側へ部分開放長穴３６を向けて傾斜している。即ち、ボックス８の開口部２０が蓋板１２で塞がれている状態では、傾斜部３２ｂは下部対向面８ｂから離れながら蓋板１２に近づく方向へ傾斜している。下側の取付具１３が下部固定金具１０に取り付けられている状態では、ばね２３がナット２２と垂直部３２ａとの間で縮められている。他の構成は、実施の形態１と同様である。
【００３９】
次に、ボックス８からカバー１１を取り外すときの手順について説明する。ボックス８からカバー１１を取り外すときには、まず、実施の形態１と同様にして、各ばね２３の弾性復元力に逆らって、ボックス８から離れるようにカバー１１を手前に引きながらカバー１１を変位させる。これにより、蓋板１２が乗場壁１の壁面から離れる（カバー引き寄せ工程）。
【００４０】
図８は図７のカバー１１を手前に変位させたときの乗場ボタン装置４を示す構成図であり、図８（ａ）は乗場ボタン装置４を示す正面図、図８（ｂ）は図８（ａ）のVIIIb-VIIIb線に沿った断面図である。図８に示すように、カバー１１をボックス８から手前に変位させただけの状態では、ナット２２がばね２３を介して係止片３２に係止されており、上下の取付具１３が上部固定金具９及び下部固定金具１０から外れることはない。
【００４１】
従って、カバー１１をボックス８から取り外すときには、実施の形態１と同様にして、カバー１１を手前に変位させた後、カバー１１を乗場壁１の壁面から離した状態を保ったまま、カバー１１を持ち上げてカバー１１をボックス８の開口部２０に沿って所定の距離だけ上方へ変位させる（カバースライド工程）。
【００４２】
図９は図８のカバー１１を上方へ変位させたときの乗場ボタン装置４を示す構成図であり、図９（ａ）は乗場ボタン装置４を示す正面図、図９（ｂ）は図９（ａ）のIXb-IXb線に沿った断面図である。図９に示すように、カバー１１を乗場壁１の壁面から離したままカバー１１を上方へ変位させると、下側の取付具１３のねじ棒２１が下部固定金具１０の垂直部３２ａの位置から傾斜部３２ｂの位置へ変位され、上側の取付具１３のねじ棒２１が上部固定金具９の部分開放長穴３９から大径部３８内へ外れる。
【００４３】
この後、カバー１１の上部のみをさらに手前に変位させてカバー１１を傾斜させる。これにより、上側の取付具１３がだるま穴３７の大径部３８から外れる（カバー傾斜工程）。
【００４４】
図１０は図９のカバー１１の上部を手前に変位させてカバー１１を傾斜させたときの乗場ボタン装置４を示す構成図であり、図１０（ａ）は乗場ボタン装置４を示す正面図、図１０（ｂ）は図１０（ａ）のXb-Xb線に沿った断面図である。図１０に示すように、カバー１１の上部を手前に変位させてカバー１１を傾斜させたときには、下側の取付具１３のねじ棒２１が部分開放長穴３６に嵌った状態になっている。この後、カバー１１を上方へ変位させることにより、下側の取付具１３が下部固定金具１０から外れる。このようにして、カバー１１がボックス８から取り外される。
【００４５】
カバー１１をボックス８に装着するときには、上記の手順と逆の手順で作業を行う。ただし、ねじ棒２１を部分開放長穴３６，３９に嵌めるときには、例えば手の指でばね２３を押さえたり、棒状又は板状の押さえ具を用いてばね２３を押さえたりすることによってばね２３を縮めながら、ナット２２と係止片３２との間にばね２３を挿入する。
【００４６】
下側の取付具１３を下部固定金具１０に取り付けるときには、図１０に示すように、カバー１１の上部をボックス８から手前に離した状態でカバー１１を傾斜させながら、下側の取付具１３のねじ棒２１を下部固定金具１０の部分開放長穴３６に嵌める。このとき、ボックス８とカバー１１との間で上方に開放された空間から、ねじ棒２１が部分開放長穴３６に嵌められたか否かの確認を行う。
【００４７】
このようなエレベータ用機器箱５では、下部固定金具１０の係止片３２が、ボックス８の開口部２０の開放側へ部分開放長穴３６を向けて傾斜する傾斜部３２ｂを有しているので、カバー１１をボックス８の開口部２０に対して傾けた状態で、下側の取付具１３のねじ棒２１を下部固定金具１０の部分開放長穴３６に嵌めることができる。従って、ねじ棒２１を下部固定金具１０の部分開放長穴３６に嵌めるときに、ボックス８とカバー１１との間の空間を上方へ大きく開放させることができ、ボックス８とカバー１１との間の空間から確認しながら、下部固定金具１０の部分開放長穴３６にねじ棒２１を容易に嵌めることができる。これにより、ボックス８に対するカバー１１の着脱作業を容易に行うことができる。
【００４８】
実施の形態３．
実施の形態１では、上下の取付具１３のねじ棒２１の位置が蓋板１２の裏面に対して調整できないようになっているが、蓋板１２に対する各ねじ棒２１の位置を蓋板１２の裏面に沿った方向へ調整可能にしてもよい。
【００４９】
即ち、図１１は、この発明の実施の形態３による乗場ボタン装置４の下部を示す正面図である。また、図１２は、図１１のXII-XII線に沿った断面図である。下側の取付具１３のねじ棒２１は、蓋板１２の裏面に沿って配置される板状の取付金具４１に固定されている。取付金具４１には、一対の長穴４２が蓋板１２の幅方向について互いに離して設けられている。ねじ棒２１は、取付金具４１における一対の長穴４２の間の部分に固定されている。各長穴４２は、蓋板１２の幅方向に沿って延びている。蓋板１２の下部の裏面には、各長穴４２に個別に通されるスタッドボルト４３が固定されている。
【００５０】
スタッドボルト４３には、固定用ナット４４が螺合される。取付金具４１及びねじ棒２１は、長穴４２に通されたスタッドボルト４３に固定用ナット４４が螺合されて締め付けられることにより、蓋板１２の裏面に固定されている。蓋板１２に対するねじ棒２１の位置は、固定用ナット４４を緩めることにより、蓋板１２の幅方向について、長穴４２の長さ寸法の範囲内で調整可能になっている。
【００５１】
上側の取付具１３のねじ棒２１も、下側の取付具１３のねじ棒２１と同様の構成により、蓋板１２の上部の裏面に固定されている。従って、上側の取付具１３でも、固定用ナットを緩めることにより、蓋板１２に対するねじ棒２１の位置が、蓋板１２の幅方向について、長穴の長さ寸法の範囲内で調整可能になっている。なお、係止片３２の幅寸法は、スタッドボルト４３及び固定用ナット４４と係止片３２との干渉を回避するために、実施の形態１及び２の係止片３２よりも短くなっている。他の構成は、実施の形態１と同様である。
【００５２】
このようなエレベータ用機器箱５では、上下の取付具１３のそれぞれのねじ棒２１の蓋板１２に対する位置が、蓋板１２の幅方向について調整可能になっているので、ボックス８に対する蓋板１２の傾きや左右方向の位置を調整することができる。例えば、下部固定金具１０が上部固定金具９に対して左右方向（ボックス８の幅方向）へずれていたり、ボックス８自体が上下方向に対して傾いて乗場壁１に設置されていたりすると、ボックス８に装着された蓋板１２も上下方向に対して傾いて配置される可能性がある。このような場合であっても、蓋板１２に対する上下のねじ棒２１の位置を調整することにより、ボックス８に装着された蓋板１２が上下方向に対して傾くことを防止することができる。
【００５３】
なお、上記の例では、蓋板１２に対する上下のねじ棒２１の位置が蓋板１２の幅方向へ調整可能になっているが、蓋板１２に対する上下のねじ棒２１の位置が蓋板１２の長手方向（上下方向）へ調整可能になっていてもよい。この場合、蓋板１２の長手方向に沿って延びる一対の長穴４２が取付金具４１に設けられる。このようにすれば、ボックス８に対するカバー１１の上下方向の位置を調整することができる。
【００５４】
実施の形態４．
図１３はこの発明の実施の形態４による乗場ボタン装置４の上部を示す構成図であり、図１３（ａ）は乗場ボタン装置４の上部を示す正面図、図１３（ｂ）は図１３（ａ）のXIIIb-XIIIb線に沿った断面図である。また、図１４は図１３のカバー１１を手前に変位させたときの乗場ボタン装置４の上部を示す構成図であり、図１４（ａ）は乗場ボタン装置４の上部を示す正面図、図１４（ｂ）は図１４（ａ）のXIVb-XIVb線に沿った断面図である。蓋板１２の上部の裏面には、ねじ棒２１よりも長さが短い棒状のストッパ５１が設けられている。ストッパ５１は、図１３（ｂ）及び図１４（ｂ）に示すように、上側の取付具１３のねじ棒２１と平行に蓋板１２の裏面から突出している。また、ストッパ５１は、ねじ棒２１よりも上方に配置されている。
【００５５】
ストッパ５１の長さは、蓋板１２の裏面からナット２２までの距離よりも短くなっている。これにより、ストッパ５１は、図１３に示すように、蓋板１２がボックス８の開口部２０を塞いでいる状態で大径部３８内に挿入され、カバー１１が手前に引かれてボックス８の開口部２０から離れる方向へカバー１１が変位されると、図１４に示すように、大径部３８内から外れる。
【００５６】
蓋板１２がボックス８の開口部２０を塞いでいる状態では、大径部３８の内面を形成する係止片３２にストッパ５１が係合することにより、ねじ棒２１が部分開放長穴３９から外れる方向（この例では、上方）へのカバー１１の変位が阻止される。また、カバー１１が手前に引かれてボックス８の開口部２０から離れる方向へ蓋板１２が変位されると、ストッパ５１が大径部３８内から外れて（即ち、係止片３２との係合が外れて）、ねじ棒２１が部分開放長穴３９から外れる方向（この例では、上方）へのカバー１１の変位が許容される。他の構成は実施の形態１と同様である。
【００５７】
このようなエレベータ用機器箱５では、ねじ棒２１がだるま穴３７の部分開放長穴３９に嵌って蓋板１２がボックス８の開口部２０を塞いでいる状態でストッパ５１が大径部３８内に挿入されるので、大径部３８の内面を形成する係止片３２に対するストッパ５１の係合により、カバー１１を手前に変位させなければ、ねじ棒２１を部分開放長穴３９から外れないようにすることができる。従って、いたずらによってボックス８からカバー１１をさらに取り外しにくくすることができ、いたずらに対する保護の強化をさらに図ることができる。
【００５８】
なお、上記の例では、ストッパ５１がねじ棒２１の上方に配置されて、蓋板１２がボックス８の開口部２０を塞いでいる状態でストッパ５１が大径部３８内に挿入されるようになっているが、これに限定されず、例えば、ストッパ５１をねじ棒２１の下方に配置して、蓋板１２がボックス８の開口部２０を塞いでいる状態で上部固定金具９の係止片３２に対して下方からストッパ５１を係合させるようにしてもよい。このようにしても、係止片３２に対するストッパ５１の係合により、ねじ棒２１が部分開放長穴３９から外れる方向へのカバー１１の変位を阻止することができる。これにより、いたずらに対する保護の強化をさらに図ることができる。
【００５９】
また、実施の形態３及び４の少なくともいずれかの構成を実施の形態２の構成に適用してもよいし、実施の形態４の構成を実施の形態３の構成に適用してもよい。
【００６０】
また、各上記実施の形態では、下部固定金具１０の係止片３２に設けられた部分開放長穴３６はボックス８の内側に単に開放されているだけであるが、上部固定金具９の係止片３２に設けられた部分開放長穴３９と同様に、部分開放長穴３６がだるま穴の一部を構成するようにしてもよい。即ち、ねじ棒２１、ナット２２及びばね２３が通過可能な大径部と、大径部の下部に繋がって上部が大径部内に開放された部分開放長穴３６とにより構成されるだるま穴を下部固定金具１０の係止片３２に設けてもよい。
【００６１】
また、各上記実施の形態では、蓋板１２の裏面から突出する突出部がねじ棒２１とされ、突出部に設けられた受け部がナット２２とされているが、これに限定されず、ねじ棒２１及びナット２２に代えて、例えば頭部を持つボルトやねじ、ピン等を用いてもよい。この場合、ボルトやねじ、ピン等の頭部が受け部とされ、頭部から延びる軸が突出部とされる。
【００６２】
また、各上記実施の形態では、乗場壁１に設けられた乗場ボタン装置４に機器箱５が適用されているが、例えばかご内壁に設けられたかご操作盤等に機器箱を適用してもよい。この場合、カバー１１の蓋板１２には、行き先階を登録するための行き先階ボタンやかご出入口の開閉を行うための戸開ボタン及び戸閉ボタン等の機器が設けられる。
【符号の説明】
【００６３】
５  機器箱（エレベータ用機器箱）、８  ボックス、９  上部固定金具（支持部材）、１０  下部固定金具（支持部材）、１１  カバー、１２  蓋板、１３  取付具、２０  開口部、２１  ねじ棒（突出部）、２２  ナット（受け部）、２３  ばね（弾性体）、３２  係止片、３２ｂ  傾斜部、３６  部分開放長穴（凹部）、３７  だるま穴、３８  大径部、５１  ストッパ。
【図１】
2013173613.tif 000003
【図２】
2013173613.tif 000004
【図３】
2013173613.tif 000005
【図４】
2013173613.tif 000006
【図５】
2013173613.tif 000007
【図６】
2013173613.tif 000008
【図７】
2013173613.tif 000009
【図８】
2013173613.tif 000010
【図９】
2013173613.tif 000011
【図１０】
2013173613.tif 000012
【図１１】
2013173613.tif 000013
【図１２】
2013173613.tif 000014
【図１３】
2013173613.tif 000015
【図１４】
2013173613.tif 000016